(57)【要約】【課題】最適な化粧品を決定することができる化粧品決定システム及び化粧品決定プログラムを提供すること。【解決手段】顔を含む顔近辺の複数箇所の肌色の情報を取得する肌色情報取得手段と、前記肌色情報取得手段で取得した複数箇所の肌色の情報に基づいて最適な化粧品を決定する化粧品決定手段と、化粧品決定手段で決定した化粧品をオペレータに通知する通知手段とを備えた化粧品決定システム及びコンピュータを該化粧品決定システムとして機能させる化粧品決定プログラム。【選択図】        図１
2005181226.tif 000002
【特許請求の範囲】
【請求項１】
顔を含む顔近辺の複数箇所の肌色の情報を取得する肌色情報取得手段と、
前記肌色情報取得手段で取得した複数箇所の肌色の情報に基づいて最適な化粧品を決定する化粧品決定手段と、
化粧品決定手段で決定した化粧品をオペレータに通知する通知手段とを備えたことを特徴とする化粧品決定システム。
【請求項２】
前記肌色情報取得手段で取得する複数箇所の肌色の情報は、頬部と首部の肌色の情報を含むことを特徴とする請求項１記載の化粧品決定システム。
【請求項３】
前記肌色情報取得手段で取得する肌色の情報は、Ｌ＊ａ＊ｂ＊表色系の明度指数Ｌ＊、クロマティクネス指数ａ＊、ｂ＊、ＸＹＺ表色系の３刺激値Ｘ、Ｙ、Ｚ、及びマンセル表色系の色相Ｈ、明度Ｖ、彩度Ｃの何れかの表色系による値として得られることを特徴とする請求項１又は２記載の化粧品決定システム。
【請求項４】
前記肌色情報取得手段で取得する肌色の情報は、測定対象を直接測定して取得することを特徴とする請求項１、２又は３記載の化粧品決定システム。
【請求項５】
前記肌色情報取得手段で取得する肌色の情報は、測定対象を撮影したプリントを測定して取得することを特徴とする請求項１、２又は３記載の化粧品決定システム。
【請求項６】
顔を含む顔近辺の複数箇所の肌色の情報を取得する肌色情報取得手段で取得した複数箇所の肌色の情報から最適な化粧品を決定する機能を有することを特徴とする化粧品決定プログラム。
【請求項７】
前記取得する複数箇所の肌色の情報は、頬部と首部の肌色の情報を含むことを特徴とする請求項６記載の化粧品決定プログラム。
【請求項８】
前記肌色の情報は、Ｌ＊ａ＊ｂ＊表色系の明度指数Ｌ＊、クロマティクネス指数ａ＊、ｂ＊、ＸＹＺ表色系の３刺激値Ｘ、Ｙ、Ｚ、及びマンセル表色系の色相Ｈ、明度Ｖ、彩度Ｃの何れかの表色系による値として得られることを特徴とする請求項６又は７記載の化粧品決定プログラム。
【請求項９】
前記肌色の情報は、測定対象を直接測定して取得したものであることを特徴とする請求項６、７又は８記載の化粧品決定プログラム。
【請求項１０】
前記肌色の情報は、測定対象を撮影したプリントを測定して取得したものであることを特徴とする請求項６、７又は８記載の化粧品決定プログラム。
【発明の詳細な説明】
【技術分野】
【０００１】
本発明は、化粧品決定システム及び化粧品決定プログラムに関し、詳しくは最適な化粧品を決定することができる化粧品決定システム及び化粧品決定プログラム。
【背景技術】
【０００２】
一般に女性は、顔の肌を良く見せるために化粧品を顔に塗るなどしている。このとき用いられる化粧品はできるだけ自然な仕上がりが好まれるため、化粧品製造業者は様々な種類の色を展開している。
【０００３】
化粧品の色を決定するためにしばしば見られる方法は、販売員が顧客の顔の色を見て、販売員のカンにより最適と考えられる色を決定する方法である。
【０００４】
しかしながら、販売員のカンに頼る方法では、販売員のカンが悪いと最適な化粧品が選択できず顧客の満足が得られない場合があり問題がある。
【０００５】
そこで、化粧品の色に基づいた肌色見本を作成し、作成した肌色見本と顔の色と比較して最適な色の化粧品を選択する方法が考えられる。例えば特許文献１に記載の肌色見本付リーフレットは、化粧品の色に基づいた肌色見本に設けられた切欠き穴から顔の肌を露出させて用いることにより一番顔の肌の色に近い色の化粧品を最適な化粧品として選択するように用いられる。
【０００６】
また、メイクアップ前の明度とメイクアップ後の明度とから回帰直線を求め、該回帰直線により得られたメイクアップ後の明度との差が少ない化粧品を最適な化粧品として決定する方法がある（特許文献２）。
【０００７】
このように従来は、最適な化粧品の決定は顔の肌色を最も重視して決定されてきた。
【０００８】
しかし、このように顔の肌色を最も重視して最適な化粧品を選択すると、本当に最適と思って選択した化粧品でメイクを行っても、例えば写真を撮影して出来上がったプリントを見ると、顔だけが異様に白くなってしまい愕然とすることがある。いわゆる白浮きという現象である。
【特許文献１】特開２００２−２６２９３８号公報
【特許文献２】特許３３２１７９４号公報
【発明の開示】
【発明が解決しようとする課題】
【０００９】
本発明者は、上記の問題を鋭意検討したところ、化粧品を決定する際に、顔の肌色だけを問題として決定する今までのやり方に問題があり、例えば顔と顔に連続する部位である首との肌色というように複数箇所の肌色から最適な化粧品を決定すれば、上記のような問題が発生しないこと見出し、本発明に至った。
【００１０】
そこで本発明の課題は、最適な化粧品を決定することができる化粧品決定システム及び化粧品決定プログラムを提供することにある。
【課題を解決するための手段】
【００１１】
上記課題は、以下の各発明によって解決できる。
【００１２】
（請求項１）顔を含む顔近辺の複数箇所の肌色の情報を取得する肌色情報取得手段と、前記肌色情報取得手段で取得した複数箇所の肌色の情報に基づいて最適な化粧品を決定する化粧品決定手段と、化粧品決定手段で決定した化粧品をオペレータに通知する通知手段とを備えたことを特徴とする化粧品決定システム。
【００１３】
（請求項２）前記肌色情報取得手段で取得する複数箇所の肌色の情報は、頬部と首部の肌色の情報を含むことを特徴とする請求項１記載の化粧品決定システム。
【００１４】
（請求項３）前記肌色情報取得手段で取得する肌色の情報は、Ｌ＊ａ＊ｂ＊表色系の明度指数Ｌ＊、クロマティクネス指数ａ＊、ｂ＊、ＸＹＺ表色系の３刺激値Ｘ、Ｙ、Ｚ、及びマンセル表色系の色相Ｈ、明度Ｖ、彩度Ｃの何れかの表色系による値として得られることを特徴とする請求項１又は２記載の化粧品決定システム。
【００１５】
（請求項４）前記肌色情報取得手段で取得する肌色の情報は、測定対象を直接測定して取得することを特徴とする請求項１、２又は３記載の化粧品決定システム。
【００１６】
（請求項５）前記肌色情報取得手段で取得する肌色の情報は、測定対象を撮影したプリントを測定して取得することを特徴とする請求項１、２又は３記載の化粧品決定システム。
【００１７】
（請求項６）顔を含む顔近辺の複数箇所の肌色の情報を取得する肌色情報取得手段で取得した複数箇所の肌色の情報から最適な化粧品を決定する機能を有することを特徴とする化粧品決定プログラム。
【００１８】
（請求項７）前記取得する複数箇所の肌色の情報は、頬部と首部の肌色の情報を含むことを特徴とする請求項６記載の化粧品決定プログラム。
【００１９】
（請求項８）前記肌色の情報は、Ｌ＊ａ＊ｂ＊表色系の明度指数Ｌ＊、クロマティクネス指数ａ＊、ｂ＊、ＸＹＺ表色系の３刺激値Ｘ、Ｙ、Ｚ、及びマンセル表色系の色相Ｈ、明度Ｖ、彩度Ｃの何れかの表色系による値として得られることを特徴とする請求項６又は７記載の化粧品決定プログラム。
【００２０】
（請求項９）前記肌色の情報は、測定対象を直接測定して取得したものであることを特徴とする請求項６、７又は８記載の化粧品決定プログラム。
【００２１】
（請求項１０）前記肌色の情報は、測定対象を撮影したプリントを測定して取得したものであることを特徴とする請求項６、７又は８記載の化粧品決定プログラム。
【発明の効果】
【００２２】
顔の肌色と顔以外の肌色とから化粧品を選択可能としたことにより、化粧後の仕上がりが自然な仕上がりとなり、特に写真撮影した場合に白浮きする現象の発生を抑えた化粧品を決定することができる。
【発明を実施するための最良の形態】
【００２３】
以下、本発明の実施の形態について図面を参照して説明する。
【００２４】
図１は、本発明の化粧品決定プログラムの処理を実現する化粧品決定システムの機能構成を示すブロック図である。
【００２５】
図１において、本発明の化粧品決定システムは、各種処理を行うコンピュータ１００、所定箇所の肌色を取得する測定器２００、オペレータによる入力を受け付ける入力装置３００、オペレータが確認可能に各種の表示を行う表示装置４００を備えている。
【００２６】
コンピュータ１００は、本発明の化粧品決定プログラムに基づいて測定器２００、入力装置３００、表示装置４００とを制御しつつ各種処理を行う。
【００２７】
測定器２００は、肌の色を測定することができる装置を用いることができ、例えば、分光光度計、色彩計、測色計等を用いることができるが特に限定されない。測定器２００で、測定されて得られる値は、例えば、Ｌ＊ａ＊ｂ＊表色系の明度指数Ｌ＊、クロマティクネス指数ａ＊、ｂ＊、及びＸＹＺ表色系の３刺激値Ｘ、Ｙ、Ｚ、マンセル表色系の色相Ｈ、明度Ｖ、彩度Ｃの何れかの表色系による値を取得する。
【００２８】
入力装置３００は、オペレータが入力をするための装置で、例えばキーボードやマウス等を用いることができる。後述する案内画面に基づいてオペレータによる入力をさせることによって、被測定者（オペレータ）の状態や意図をコンピュータ１００に入力したり、その他操作入力をすることができる。
【００２９】
表示装置４００は、コンピュータ１００の制御に基づいて各種情報の表示を行うことができ、例えば、ＣＲＴモニタ、液晶モニタ等を用いることができるが特に限定されない。
【００３０】
図２は、本発明の化粧品決定システムに用いられるコンピュータ１００の一例を示すブロック図である。
【００３１】
コンピュータ１００は、化粧品決定システムの各部を制御するメイン制御部１０１と、プログラムを格納したり各種データを記憶したりする主記憶部１０２と、メイク部を決定するための処理を行うメイク部決定処理部１０３と、肌色の測定をする処理を行う肌色測定処理部１０４と、化粧品を決定する処理を行う化粧品決定処理部１０５と、測定器２００からの入力及び出力を行う測定器入出力部１０６と、表示装置４００を制御する表示制御部１０７と、入力装置３００からの入力を行う操作入力部１０８とを備えている。尚、メイク部決定処理部１０３は好ましく設けられる部位である。
【００３２】
次に、本発明の化粧品決定プログラムによって制御されて実現する化粧品決定システムの動作について以下詳細に説明する。
【００３３】
図３は、本発明の化粧品決定プログラムによって制御される図１の化粧品決定システムの処理フローの一例を示す図である。
【００３４】
図３において、化粧品を決定する処理を開始すると、メイク部決定処理部１０３によりカウンセリングが行われる。
【００３５】
カウンセリングは、メイク部を決定するための質問を行う処理であって、この処理によってオペレータの状態や意図を把握することができる。具体的には、表示制御部１０７と協働して表示装置４００に図４乃至図７に示す案内画面の表示を行い、入力装置３００において入力された情報を操作入力部１０８を介して受け付ける処理により行われる。
【００３６】
図４乃至図７に基づいてカウンセリングについて説明すると、まず、オペレータがすでに化粧をしているのか否かを把握するために図４に示すように「本日の化粧は？」とのメッセージ４０１とそれに対する回答を示す「有」及び「無」の回答タグ４０２ａ及び４０２ｂを表示する。これに対してオペレータは、該表示に基づいて、化粧をしている場合は、「有」の回答タグ４０２ａを選択する入力を入力装置３００において行い、化粧をしていない場合は、「無」の回答タグ４０２ｂを選択する入力を入力装置３００において行うことができる。
【００３７】
図４の画面において「有」の回答タグ４０２ａを選択した場合は、該入力が操作入力部１０８を介してコンピュータ１００に入力され、メイク部決定処理部１０３が、表示制御部１０７と協働して図５に示すような表示を行う。即ち、図５に示す「メイク落とししますか？」とのメッセージ４０１と回答タグ４０２ａ及び４０２ｂとして「Ｙｅｓ」と「Ｎｏ」とを表示する。これに対してオペレータは、該表示に基づいて、メイク落としを希望する場合は、「Ｙｅｓ」の回答タグ４０２ａを選択し、メイク落としを希望しない場合は「Ｎｏ」の回答タグ４０２ｂを選択することができる。
【００３８】
図５の画面において「Ｙｅｓ」の選択を行った場合は、該入力が操作入力部１０８を介してコンピュータ１００に入力され、メイク部決定処理部１０３が、表示制御部１０７と協働して図６に示すような表示を行う。即ち、図６に示す「メイク落としを行なってください」とのメッセージ４０１を表示する。これに対してオペレータはメイク落としを行えばよい。
【００３９】
また、図４の表示で「無」が選択された後又は図５の表示で「Ｎｏ」が表示された後に該入力が操作入力部１０８を介してコンピュータ１００に入力された後、又は図６の表示の後、メイク部決定処理部１０３は表示制御部１０７と協働して図７に示すような表示を行う。即ち、図７に示す「首付近にメイクしていいですか？」とのメッセージ４０１と回答タグ４０２ａ及び４０２ｂとして「Ｙｅｓ」と「Ｎｏ」とを表示する。これに対してオペレータは、該表示に基づいて、首付近にメイクを希望する場合は、「Ｙｅｓ」の回答タグ４０２ａを選択し、首付近にメイクを希望しない場合は「Ｎｏ」の回答タグ４０２ｂを選択することができる。該入力は、操作入力部１０８を介してコンピュータ１００のメイク部決定処理部１０３に入力される。上記のような処理により、メイク部決定処理部１０３は、オペレータの状態及び意図を把握することができる。
【００４０】
前記カウンセリングによってオペレータの状態と意図が把握されると、メイク部決定処理部１０３は、該オペレータの状態と意図に基づいてメイク部を決定する（Ｓ２）。
【００４１】
メイク部の決定は、図４の表示において「無」との回答を行った場合及び図５の表示において「Ｙｅｓ」との回答を行った場合には顔にメイクを行うことを決定し、図７の表示において「Ｙｅｓ」との回答を行った場合には首にメイクを行うことを決定する。
【００４２】
次いで、メイク部決定処理部１０３により、Ｓ２の処理で決定されたメイク部のあり・なしが判断される（Ｓ３）。
【００４３】
メイク部がなしと判断された場合は、化粧品の決定をする必要がないので化粧品を決定するための処理を終了する。
【００４４】
次いで、測定器２００によりオペレータの肌色を測定する（Ｓ４）。
【００４５】
オペレータの肌色の測定は、例えば、肌色測定処理部１０４が表示制御部１０７と協働して表示装置４００に肌色の測定を行う旨を促すことによって、測定器２００を測定対象部の測定が可能なようにオペレータに操作させ、肌色測定処理部１０４が測定器入出力部１０６を介して測定器２００を制御して測定光を照射させ、該照射光の反射光を測定することによって行う。反射光の測定値は、測定器入出力部１０６を介して肌色測定処理部１０４に入力される。測定対象部とは、測定器により測定する対象となるオペレータの肌の部位であり、例えば、図８に示すようにオペレータ１０の頬部１１と首部１２とが挙げられる。Ｓ４における測定部位とＳ２におけるメイク部とは必ずしも一致しない。例えば、首だけがメイク部であっても、顔と首の測定とを行うというように、メイクしない部位も測定が必要になる場合があるからである。頬部を測定したか首部を測定したかは、例えば肌色測定処理部１０４が表示制御部１０７を介して表示装置４００に「頬の肌色を測定してください」と表示させ、かかる表示の後に最初に測定されて得られた測定値を頬部の測定値とすることによって特定できる。
【００４６】
肌色測定処理部１０４は、入力された測定値に基づいて、肌色を決定する（Ｓ５）。
【００４７】
肌色の決定は、測定器２００において取得したＬ＊ａ＊ｂ＊表色系の明度指数Ｌ＊、クロマティクネス指数ａ＊、ｂ＊、ＸＹＺ表色系の３刺激値Ｘ、Ｙ、Ｚ、及びマンセル表色系の色相Ｈ、明度Ｖ、彩度Ｃの何れかの表色系による値に基づいて測定点の肌色を決定する。例えば、頬と首を測定する場合は、頬を測定したタイミングで得られた肌色を頬の肌色とし、首を測定したタイミングで得られた肌色を首の肌色とそれぞれ決定する。
【００４８】
Ｓ５で決定された肌色に基づいて化粧品決定処理部１０５は、化粧品を決定する（Ｓ６）。
【００４９】
化粧品の決定は、予め用意された化粧品の色を３次元の色空間内にプロットしておき、当該３次元の色空間においてＳ５で決定された肌色をプロットしたときに、一番色空間距離が小さくなる化粧品に決定される。測定部位が２カ所あるときは、２カ所の肌色をプロットしたとき当該プロットを結ぶ直線に一番色空間距離が小さくなる化粧品に決定される。例えば図９及び図１０に示すようにＬ＊ａ＊ｂ＊表色系において２０１ａ、２０１ｂ、…２０１ｅの色の化粧品がプロットされている場合に、図９では顔にメイク済のオペレータが顔と首の２カ所の部位を測定した値２０２ａ及び２０２ｂがプロットされ、図１０では顔にメイク無しのオペレータが顔と首の２カ所の部位を測定した値２０２ｃ及び２０２ｄがプロットされている。このとき、図９においては、２０２ａと２０２ｂとを結ぶ直線となす距離が一番小さい２０１ｂの化粧品に決定される。同様に、図１０においては、２０２ｃと２０２ｄとを結ぶ直線となす距離が一番小さい２０１ｅの化粧品に決定される。
【００５０】
このように、本発明においては、予め決定対象となる化粧品の色を３次元の色空間にプロットしておき、該３次元の色空間内に２つの測定値で決定される直線と色空間上の距離が一番小さくなる化粧品を最適な化粧品として決定している。即ち、本発明は、２つの測定点の情報をもとに最適な化粧品を決定する点に特徴がある。
【００５１】
化粧品決定処理部１０５によりＳ６で決定された化粧品をオペレータに通知する（Ｓ７）。
【００５２】
オペレータへの通知は、例えば、表示制御手段１０７を介して表示装置４００を制御して表示したり、図示しないプリント手段によりプリントすることによってオペレータに通知することができる。
【００５３】
尚、上記の態様では、メイン制御部１０１とメイク部決定処理部１０３、肌色測定処理部１０４、化粧品決定処理部１０５、表示制御部１０７とを別々の装置として説明したが、各制御および処理を行うためのプログラムを記憶したＲＯＭやＲＡＭ等の主記憶装置と該プログラムを演算処理するＣＰＵ等の演算装置により一体として構成することができる。
【００５４】
また、本発明の化粧品決定プログラムを実施する化粧品決定システムにおいて、上記の処理流れの説明におけるＳ１乃至Ｓ３の処理は、必須の処理ではない。
【００５５】
このように本発明の化粧品決定システムは、複数箇所の肌色の情報を取得して該複数箇所の肌色の情報に基づいて化粧品を決定するので、決定された化粧品を用いてメイクを行うことによって、化粧後の仕上がりが自然な仕上がりとなる。特に写真撮影した場合に白浮きする現象の発生を抑えたプリントを得ることができる。
【００５６】
また、上記の態様においては、直接肌色を測定することによって肌色を決定したが、オペレータの測定部位を所定の撮影条件で撮影し、プリントしたものを測定することによって肌色を決定する態様も写真撮影する場合に白浮きの問題を解消する効果を発揮する上で好ましい。このとき、化粧品決定処理の際にプロットされる化粧品の色も、同じ撮影条件で撮影してプリントしたものを測定することによって決定することがより好ましい。
【図面の簡単な説明】
【００５７】
【図１】本発明の化粧品決定プログラムの処理を実現する化粧品決定システムの機能構成を示すブロック図
【図２】本発明の化粧品決定システムに用いられるコンピュータ１００の一例を示すブロック図
【図３】本発明の化粧品決定プログラムによって制御される図１の化粧品決定システムの処理フローの一例を示す図
【図４】本発明における案内画面の表示の一例を示す図
【図５】本発明における案内画面の表示の他の一例を示す図
【図６】本発明における案内画面の表示の他の一例を示す図
【図７】本発明における案内画面の表示の他の一例を示す図
【図８】測定部位を説明する図
【図９】Ｌ＊ａ＊ｂ＊表色系において化粧品を決定する際の一例を示す図
【図１０】Ｌ＊ａ＊ｂ＊表色系において化粧品を決定する際の他の一例を示す図
【符号の説明】
【００５８】
１０：オペレータ
１１：頬部
１２：首部
１００：コンピュータ
１０１：メイン制御部
１０２：主記憶部
１０３：メイク部決定処理部
１０４：肌色測定処理部
１０５：化粧品決定処理部
１０６：測定器入出力部
１０７：表示制御部
１０８：操作入力部
２００：測定器
２０１ａ、２０１ｂ、…２０１ｅ：Ｌ＊ａ＊ｂ＊表色系における各化粧品の色のプロット
３００：入力装置
４００：表示装置
４０１：メッセージ
４０２ａ、４０２ｂ：回答タグ
【図１】
2005181226.tif 000003
【図２】
2005181226.tif 000004
【図３】
2005181226.tif 000005
【図４】
2005181226.tif 000006
【図５】
2005181226.tif 000007
【図６】
2005181226.tif 000008
【図７】
2005181226.tif 000009
【図８】
2005181226.tif 000010
【図９】
2005181226.tif 000011
【図１０】
2005181226.tif 000012